(57)【要約】【課題】ファクシミリ通信で受信した用紙を用いて発信元に返信する際に、宛先の入力間違いに起因する誤送信を防止することができるようにする。【解決手段】ＩＣタグなどの記憶手段が設けられた用紙をファクシミリ送受信に用いて、受信の際に受信したＦＡＸ番号などの相手先情報をその記憶手段に書き込み、その記憶手段が設けられた用紙に必要事項を記入して返送する時に記憶手段に書き込まれたＦＡＸ番号などの相手先情報を宛先として自動的に入力、送信することにより、宛先の入力間違いに起因する誤送信を防止することができる。【選択図】図３
2008113325.tif 000002
【特許請求の範囲】
【請求項１】
記憶手段を備えた用紙をファクシミリ通信により送受信する通信端末であって、
ファクシミリ通信における相手先識別情報を受信する受信手段と、
前記受信手段により受信された相手先識別情報を前記記憶手段に記憶させる書き込み手段と、
前記記憶手段に記憶された相手先識別情報を読み出す読み出し手段と、
前記読み出し手段により読み出された相手先識別情報により特定される通信相手に該記憶手段が配設された用紙の情報をファクシミリ送信する送信手段と、を備えたことを特徴とする通信端末。
【請求項２】
任意の相手先電話番号の入力を受ける登録情報入力手段と、
前記登録情報入力手段により入力された相手先電話番号を記憶する登録情報記憶手段と、
前記読み出し手段が読み出した相手先識別情報により特定される通信相手の電話番号を前記登録情報記憶手段から検索する登録情報検索手段と、を備え、
前記送信手段は、前記登録情報検索手段により検索された電話番号に前記用紙の情報をファクシミリ送信することを特徴とする請求項１記載の通信端末。
【請求項３】
表示手段を備え、
前記登録情報検索手段による検索で、前記読み出し手段が読み出した相手先識別情報により特定される通信相手の電話番号が前記登録情報記憶手段の中に検索ヒットしない場合、該登録情報検索手段は、検索ヒットがないことを示す信号を前記表示手段に出力することを特徴とする請求項２記載の通信端末。
【請求項４】
前記登録情報検索手段は、前記読み出し手段が読み出した相手先識別情報の末尾から予め定められた桁数が、前記登録情報記憶手段に記憶された相手先電話番号における末尾から該桁数の数字と一致するか否かにより、前記読み出し手段が読み出した相手先識別情報により特定される通信相手の電話番号を前記登録情報記憶手段から検索することを特徴とする請求項２または３記載の通信端末。
【発明の詳細な説明】
【技術分野】
【０００１】
本発明は、ファクシミリ送受信機能を備え、ファクシミリ通信における相手先識別情報（以下、受信ＣＳＩ）を受信する機能を備えた通信端末に関する。
【背景技術】
【０００２】
近年、発注元よりファクシミリ通信で受け取った発注伝票に必要事項を記入してファクシミリ通信で返送するといった、受信した用紙で発信元に返信する業務が増えている。
【０００３】
また、従来の装置として、用紙に画像データを印字しつつ、画像データやデジタル情報を該用紙に貼り付けられたＩＣタグに書き込み、電子情報として管理・利用するＭＦＰ（multi function printer）がある（例えば、特許文献１参照）。
【特許文献１】特開２００６−１７５６４７号公報
【発明の開示】
【発明が解決しようとする課題】
【０００４】
しかしながら、上述した特許文献１のものは、画像データ、デジタル情報を用紙に貼り付けられたＩＣタグに書き込み、電子情報として管理・利用するものであり、ファクシミリ通信で返信する際の誤送信を防止することについてまで考慮されたものではなかった。
【０００５】
本発明はこのような状況に鑑みてなされたものであり、ファクシミリ通信で受信した用紙を用いて発信元に返信する際に、宛先の入力間違いに起因する誤送信を防止することができる通信端末を提供することを目的とする。
【課題を解決するための手段】
【０００６】
かかる目的を達成するために、本発明に係る通信端末は、記憶手段を備えた用紙をファクシミリ通信により送受信する通信端末であって、ファクシミリ通信における相手先識別情報を受信する受信手段と、上記受信手段により受信された相手先識別情報を上記記憶手段に記憶させる書き込み手段と、上記記憶手段に記憶された相手先識別情報を読み出す読み出し手段と、上記読み出し手段により読み出された相手先識別情報により特定される通信相手に該記憶手段が配設された用紙の情報をファクシミリ送信する送信手段と、を備えたことを特徴とする。
【０００７】
任意の相手先電話番号の入力を受ける登録情報入力手段と、上記登録情報入力手段により入力された相手先電話番号を記憶する登録情報記憶手段と、上記読み出し手段が読み出した相手先識別情報により特定される通信相手の電話番号を上記登録情報記憶手段から検索する登録情報検索手段と、を備え、上記送信手段は、上記登録情報検索手段により検索された電話番号に上記用紙の情報をファクシミリ送信することが好ましい。
【０００８】
表示手段を備え、上記登録情報検索手段による検索で、上記読み出し手段が読み出した相手先識別情報により特定される通信相手の電話番号が上記登録情報記憶手段の中に検索ヒットしない場合、該登録情報検索手段は、検索ヒットがないことを示す信号を上記表示手段に出力することが好ましい。
【０００９】
上記登録情報検索手段は、上記読み出し手段が読み出した相手先識別情報の末尾から予め定められた桁数が、上記登録情報記憶手段に記憶された相手先電話番号における末尾から該桁数の数字と一致するか否かにより、上記読み出し手段が読み出した相手先識別情報により特定される通信相手の電話番号を上記登録情報記憶手段から検索することが好ましい。
【発明の効果】
【００１０】
以上のように、本発明によれば、ファクシミリ通信で受信した用紙を用いて発信元に返信する際に、宛先の入力間違いに起因する誤送信を防止することができる。
【発明を実施するための最良の形態】
【００１１】
次に、本発明に係る通信端末をファクシミリ装置に適用した一実施形態について、図面を用いて詳細に説明する。
まず、本実施形態の概略について説明する。
【００１２】
本実施形態のファクシミリ装置は、受信した発注伝票の返送の時に手で直接宛先入力する代わりに、発注伝票受信時に用紙に貼り付けられたＩＣタグに書き込まれたＦＡＸ番号などの相手先情報を、用紙を用いて返送する時にＩＣタグから読み出して自動的に宛先入力するものである。
【００１３】
すなわち、本実施形態に係るファクシミリ装置は、ＩＣタグなどの記憶手段が設けられた用紙をファクシミリ送受信に用いて、受信の際に受信したＦＡＸ番号などの相手先情報をその記憶手段に書き込み、その記憶手段が設けられた用紙に必要事項を記入して返送する時に記憶手段に書き込まれたＦＡＸ番号などの相手先情報を宛先として自動的に入力、送信することにより、宛先の入力間違いに起因する誤送信を防止することができるものである。
【００１４】
近年、発注元より受け取った発注伝票に必要事項を記入して返送する受発注業務が増えている。
本実施形態は、その受発注業務時に、ＦＡＸ番号の入力間違いで発注元とは無関係な第三者に誤送信することを防止し、確実にお届けできるようにすることを目的としている。
このように、本実施形態は、発注元のＦＡＸ番号をＩＣタグに書き込み、返送する時に該ＩＣタグに書き込まれたＦＡＸ番号を自動的にセットして送信する誤送信防止に関するものである。
【００１５】
このため、本実施形態としてのファクシミリ装置は、発注元から発注伝票を受信し、ユーザが発注伝票に必要事項を記入して発注元へ返送することを主な用途とし、予め任意の相手先情報（以下、ＦＡＸ番号）を登録可能なワンタッチキー／短縮を有し、指定するＵＲＬに画像データを送信する機能を備える。また、ＩＣタグを貼り付けた用紙をセット可能な給紙を有し、受信した発注伝票を画像データとして該用紙に印字可能で、さらに該用紙をスキャナーに送り込むフィーダーを有する。また、発注先から発注伝票を受信する受信手段、受信とともに回線を通じて送られてきた相手先識別情報（以下、受信ＣＳＩ）他を該ＩＣタグに書き込む書き込み手段、該用紙を用いて該発注先に返送する時にフィーダーから送られてきた該用紙の該ＩＣタグに書き込まれた受信ＣＳＩを読み取る読み取り手段、読み取った受信ＣＳＩを自動的に宛先入力する入力手段、入力手段より入力された内容を表示する表示手段、該発注先に返送する送信手段を備える。
【００１６】
また、上記の受信手段は発注先から受信した受信ＣＳＩ、モデムや回線のスピード（以下、通信情報）と、指定されたＵＲＬからの返送納期も、上記の書き込み手段に送信し、ＩＣタグに書き込むようになっている。
【００１７】
また、受信ＣＳＩは国番号＋電話番号（ＦＡＸ番号）の形式で登録されるため、そのままでは宛先への発呼に使用できないため、既に登録されているＦＡＸ番号と下Ｎ桁を比較する比較手段を設けている。
【００１８】
この比較手段の動作としては、若いＮｏ．（ナンバー；各ＦＡＸ番号に関連付けられた通し番号）のワンタッチキー／短縮に、予め登録されたＦＡＸ番号の下Ｎ桁と、書き込み手段で該ＩＣタグに書き込まれた受信ＣＳＩの下Ｎ桁を比較し、一致したらそのワンタッチキー／短縮のＮｏ．を、不一致ならば次のＮｏ．のワンタッチキー／短縮に登録されているＦＡＸ番号についてこの比較処理を行う。ただし、ＦＡＸ番号が未登録のワンタッチキー／短縮はスキップする。
こうして比較処理を行い、全てのワンタッチキー／短縮のＦＡＸ番号が不一致の場合、ＮＧ信号を入力手段に送信する。
【００１９】
上記した表示手段は、上記の比較手段から入力手段にワンタッチキー／短縮のＮｏ．が送られた場合、該ワンタッチキー／短縮に登録されているＦＡＸ番号および相手先名称を表示する。逆に、ＮＧ信号が送信されてきた場合、表示手段は何も表示しない。すなわち、入力待ち状態となる。
【００２０】
比較手段で比較するＦＡＸ番号、受信ＣＳＩの下Ｎ桁の桁数Ｎは、設定手段で任意に設定できるようになっている。
また、受信手段で発注伝票を受信した時は、即座に予め指定されたＵＲＬに画像データを送信して、その発注伝票を受信したことをユーザに知らせる。
こうして、予め指定されたＵＲＬに該画像データ（発注伝票）を受信した場合、発注伝票の返送納期をそのＵＲＬに入力して送り、その用紙のＩＣタグへ上述した書き込み手段を介して書き込むようになっている。
【００２１】
また、上記の書き込み手段は、上記受信手段から受け取った受信ＣＳＩ、通信情報の他、予め指定されたＵＲＬから入力されて送られてきた発注伝票の返送納期を受け取り、用紙のＩＣタグへ書き込むようになっている。
【００２２】
上記の読み取り手段は、フィーダーから送られてきた用紙のＩＣタグに書き込まれた受信ＣＳＩを読み取って上記の比較手段に送信する。また、ＩＣタグに書き込まれた通信情報を読み取って上記の送信手段に送信する。
【００２３】
この送信手段は、上記の比較手段による比較結果がＯＫでかつ上記の表示手段に表示されたワンタッチキー／短縮のＦＡＸ番号、相手先名称が正しいとユーザに判断されてスタートキーを押された場合に、上述のようにして読み取り手段から送られてきた通信情報に従い、用紙の情報を送信する。
【００２４】
上記の受信手段、送信手段のそれぞれより発注元の受信ＣＳＩ、通信情報をメモリーに管理すると共に、上記ＵＲＬより入力された返送納期をメモリーに管理して、これを任意の順番に羅列する通信ログを用紙に印字する。
この通信ログについては、通信年月日毎、受信ＣＳＩ毎、返送納期毎に羅列し、更に返送済の発注元は省略することが出来るようになっている。
また、上記の予め指定されたＵＲＬに送信して表示させることも可能となっている。
【００２５】
さらに、上記の書き込み手段は、本実施形態に係るファクシミリ装置からユーザ操作によって、ＩＣタグに任意の受信ＣＳＩ、通信情報を書き込むこともできるようになっている。
こうして任意の受信ＣＳＩ、通信情報を書き込まれたＩＣタグを別の用紙に貼り付け、発注元に提供することも可能である。
【００２６】
次に、上述した実施形態に係るファクシミリ装置１００について、図面を用いて詳細に説明する。
図１は、本実施形態としてのファクシミリ装置１００の構成を示すブロック図である。
発注先から発注伝票の画像データ、受信ＣＳＩ、通信情報の他、ＵＲＬからの返送納期を受信する受信手段１と、受信手段１が受信した受信ＣＳＩ、通信情報、返送納期をＩＣタグに書き込む書き込み手段２と、書き込み手段２によって該ＩＣタグに書き込まれた内容を読み出す読み取り手段３と、読み取り手段３によって読み出された受信ＣＳＩとワンタッチキー／短縮のＦＡＸ番号の下Ｎ桁を比較する比較手段５と、登録されたワンタッチキー／短縮のＦＡＸ番号を記憶するＦＡＸ番号記憶部９と、比較手段５で比較される桁数Ｎを設定する設定手段６と、相手先名称を表示手段７に入力する入力手段４と、相手先名称を表示する表示手段７と、表示手段７に表示されたＦＡＸ番号に、読み取り手段３で読み出された通信情報を以って送信、あるいは発注先からきた発注伝票の画像データを該ＵＲＬに送信する送信手段８と、を備えて構成される。
【００２７】
このように構成されることにより、比較手段５で比較した結果一致した検索ヒット情報であるワンタッチキー／短縮のＦＡＸ番号を表示手段７に表示させたり、入力手段４からの入力によって検索されたワンタッチキー／短縮のＦＡＸ番号を表示手段７に表示させたりすることができる。
また、上記の受信手段１，送信手段８により、ＵＲＬで特定される他のＰＣ２００（ユーザのＰＣなど）との間で通信可能となっている。
【００２８】
図２は、本実施形態としてのファクシミリ装置１００の発注伝票受信時の動作を示すフローチャートである。この図２を参照して、受信時の動作について補足しながら説明する。
まず、受信手段１がファクシミリ通信により発注伝票のデータを受信すると（ステップＳ１）、受信手段１が発注伝票（画像データ）とともに、受信ＣＳＩ、通信情報を書き込み手段２に送り、書き込み手段２はＩＣタグに該受信ＣＳＩ、該通信情報を書き込む（ステップＳ２）。
【００２９】
ファクシミリ装置１００にＵＲＬが予め登録されている場合（ステップＳ３；Ｙｅｓ）、このＵＲＬに送信手段８が発注伝票（画像データ）を送信する（ステップＳ４）。受信手段１がこのＵＲＬから返送納期を受信したら（ステップＳ５；Ｙｅｓ）、受信手段１はこの返送納期情報を書き込み手段２に送り、書き込み手段２はＩＣタグに返送納期を書き込む（ステップＳ６）。送信手段８がＵＲＬに発注伝票（画像データ）を送ってから一定時間が経っても、受信手段１が該ＵＲＬからの返送納期を受信しない場合（ステップＳ５；Ｎｏ）、タイムアウトする（ステップＳ７；Ｙｅｓ）。
【００３０】
ファクシミリ装置１００にＵＲＬが予め登録されていない場合、ＵＲＬに関する動作（ステップＳ４〜Ｓ７）は一切行わない。
最後に発注伝票（画像データ）が、上記ＩＣタグの付いた用紙に印字出力されて、発注伝票受信時の動作は終了する（ステップＳ８）。
【００３１】
図３は、本実施形態としてのファクシミリ装置１００の送信時の動作を示すフローチャートである。この図３を参照して、送信時の動作について補足しながら説明する。
上述した図２に示される動作によりＩＣタグに所定の情報が書き込まれ、発注伝票（画像データ）が印字された用紙にユーザが必要事項を記入した後、この図３に示される送信動作に入る。
【００３２】
まず、読み取り手段３が該ＩＣタグに書き込まれた受信ＣＳＩ、通信情報を読み取り、比較手段５に受信ＣＳＩを送信する（ステップＳ１１）。比較手段５は、設定手段６で設定された比較桁数Ｎの値をチェックし（ステップＳ１２）、０に設定されている場合（ステップＳ１３；Ｙｅｓ）、フェールセーフとして５にリセットする（ステップＳ１４）。
０以外の桁数が設定されている場合（ステップＳ１３；Ｎｏ）、その桁数Ｎで後段の処理における比較を行うこととなる。
【００３３】
続いて比較手段５は、ワンタッチキー／短縮の１番若いＮｏ．のＦＡＸ番号をチェックする（ステップＳ１７）。未登録の場合は次のＮｏ．のワンタッチキー／短縮のＦＡＸ番号をチェックする。ＦＡＸ番号が登録されている場合は、先に読み取り手段３で該ＩＣタグから読み取られた受信ＣＳＩと下Ｎ桁を比較する（ステップＳ１９）。一致すれば（ステップＳ２０；Ｙｅｓ）、そのＮｏ．のワンタッチキー／短縮のＦＡＸ番号、相手先名称を入力手段４に送り、入力手段４は表示手段７に該ＦＡＸ番号に送信するか否かのメッセージ（図４参照）とともに表示させる（ステップＳ２２）。
【００３４】
スタートキーが押下されれば、送信手段８は該ＩＣタグから読み出された通信情報を以って送信を行う（ステップＳ２３）。
全てのワンタッチキー／短縮が未登録またはＦＡＸ番号と該受信ＣＳＩの下Ｎ桁が一致しない場合、入力〜表示〜送信の動作は行わない。
【００３５】
図４は表示手段７による表示例である。
図４Ａ．は、受信ＣＳＩと下Ｎ桁が一致するＦＡＸ番号が登録されているワンタッチキー／短縮のＦＡＸ番号、相手先名称を表示している。このＦＡＸ番号の宛先にスタートキーで送信するか、Ｎｏキー（図ではＮと表記）で解除するかを案内するメッセージを表示する。
【００３６】
図４Ｂ．は、図４Ａ．においてスタートキー押下して送信した後の表示の例である。
図４Ｃ．は受信ＣＳＩと下Ｎ桁が一致するＦＡＸ番号が登録されているワンタッチキー／短縮が全くない場合と、図４Ａ．でＮｏキーを押下した場合の表示例である。この表示の場合、テンキーもしくはワンタッチキー／短縮、グループなどで別の宛先を入力できる。
【００３７】
図５、図６は、設定手段６により比較桁数Ｎの設定を行う場合の画面表示例である。
図５の例は２進数で表示したものであり、ＢＩＴごとに０もしくは１に変更することで設定する。
対応テンキーは、ＢＩＴ０は０キー、ＢＩＴ１は１キー、ＢＩＴ２は２キー、ＢＩＴ３は３キー、ＢＩＴ４は４キー、ＢＩＴ５は５キー、ＢＩＴ６は６キー、ＢＩＴ７は７キーである（８キー、９キーは無効）。キーを押すごとに対応するＢＩＴの値が０→１→０→１・・・と変更される。
【００３８】
図６の例は１０進数で表示したものである。テンキーは０〜９の全てが有効で、例えば０→１→９の順で押下した場合、０１９と表示される（設定値は１９）。
【００３９】
図７は、ファクシミリ装置１００とＰＣ２００（ＵＲＬ表示）の接続例を示す。
図８〜図１１は、ＵＲＬにより特定されるＰＣ２００における表示例である。ここでのＵＲＬとはユーザのＰＣのアドレスであり、ＰＣ２００の表示画面に表示される。
このＵＲＬを、ファクシミリ装置１００に予め登録しておくことにより、本実施形態としてのファクシミリ装置１００を、ＰＣ２００と接続させて用いることができる。
【００４０】
図８に示す表示例は、新規に発注伝票を受信した場合に、そのことをユーザに伝達する表示を行う。図８の例では、オーソドックスに「新規ＦＡＸが届いています」と表示している。
【００４１】
図９に示す表示例は、発注伝票（画像データ）をファクシミリ装置１００からＵＲＬに送信して表示している例であるが、画像データをファクシミリ装置１００でＰＤＦやＴＩＦＦに変換して送信、ＵＲＬで起動させる例が最も一般的である。
【００４２】
図１０に示す表示例は、発注伝票の返送納期を入力して、ファクシミリ装置１００に送信する一例である。図１０の例では、返送納期を入力（アンダーライン部分）して、ＲＥＴＵＲＮキー押下でファクシミリ装置１００へ送信する。
【００４３】
図１１に示す表示例は、返送納期が迫ってる場合に表示する警告の一例である。返送納期の何日前から表示するかの設定はＵＲＬの通信ログ管理で行えるものとする。また、図５、図６で上述した設定手段６に設定出来るようにしてもよい。
【００４４】
図１２、図１３は、読み取り手段３とＩＣタグ付き用紙の一例である。
用紙のＩＣタグの場合、用紙のどこにＩＣタグをつけるかが問題になるが、図１２に示すように、上端中央が最適と考えられる。用紙中央だと、用紙サイズによって副走査方向の位置がバラバラになるデメリットがある。下端だと用紙がフィーダーに引き込まれてからの読み取りになってしまい、該ＩＣタグに書き込まれている受信ＣＳＩや通信情報の読み取りタイミングが遅くなってしまう。
【００４５】
その点、図１２に示すように上端中央にＩＣタグを付けるならば、用紙をフィーダーにセットする時点で読み取りを行うことができるので効率がよい。ただ、この場合の問題点としては、用紙サイズによらず用紙の主走査方向の中央が同じ位置になるのであれば良いが、右寄りもしくは左寄りにセットする場合は読み取り手段３の位置に合わなくなってしまうことである。
このため、図１３に示すように、フィーダー１２内の読み取り手段３は、用紙サイズの大小に対応できるように、用紙の挿入方向に対して垂直な方向にＩＣタグの幅よりかなり大きめのサイズとなっている。
【００４６】
図８は通信ログの一例である。
ファクシミリ装置１００で、メモリー１３に管理される通信ログ情報を印字出力することができる。
図８の例の場合、発注番号、日時、時刻、相手先（の名称）、受信ＣＳＩ、返送納期が印字出力されている。図８では日時・時刻順に記載しているが、相手先（の名称）のアイウエオ順、返送納期順に記載するモードも備えることで、より利便性を向上させることができる。
また、同じ内容を上記ＵＲＬに送信し、ユーザのＰＣ２００の画面に表示させることもできるものとする。送信手段８がファクシミリ装置１００のメモリーに管理される通信ログ情報を該ＵＲＬに送信することで実現する。
【００４７】
以上のように、本実施形態としてのファクシミリ装置１００によれば、発注伝票を受信した時に用紙に貼りつけられているＩＣタグに書き込まれたＦＡＸ番号などの相手先情報を、該用紙を用いて返送する時に自動的に宛先入力するので、発注元へ返送する時へのＦＡＸ番号入力間違いによる誤送信を防止することが出来る。
【００４８】
なお、上述した各実施形態は本発明の好適な実施形態であり、本発明はこれに限定されることなく、本発明の技術的思想に基づいて種々変形して実施することが可能である。
例えば、ＩＣタグを用紙に設ける位置は図１２に示すものに限定されず、他の位置であってもよい。また、対応する読み取り手段３の位置も、図１３に示すものに限定されず、他の位置であってもよい。
【００４９】
また、上述した実施形態では、ファクシミリ装置として説明したが、ファクシミリ通信を行う機能を備えた装置であれば任意の装置であってよく、例えばＭＦＰ（multi function printer）などであっても、本発明は同様に適用することができる。
【００５０】
また、上述した各実施形態としてのファクシミリ装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いてよい。
【００５１】
この本発明に係るプログラムによれば、当該プログラムによって制御される装置に、上述した本発明に係る各実施形態としてのファクシミリ装置における各機能を実現させることができる。
【図面の簡単な説明】
【００５２】
【図１】本発明の実施形態としてのファクシミリ装置１００の構成を示すブロック図である。
【図２】該ファクシミリ装置１００の受信時の動作を示すフローチャートである。
【図３】該ファクシミリ装置１００の送信時の動作を示すフローチャートである。
【図４】表示手段７による表示例を示す図である。
【図５】設定手段６により比較桁数Ｎの設定を行う場合の画面表示例である。
【図６】設定手段６により比較桁数Ｎの設定を行う場合の画面表示例である。
【図７】ファクシミリ装置１００とＰＣ２００（ＵＲＬ表示）の接続例を示す。
【図８】新規に発注伝票を受信した場合のＰＣ２００における表示例である。
【図９】画像データをファクシミリ装置１００からＵＲＬに送信した場合のＰＣ２００における表示例である。
【図１０】発注伝票の返送納期をファクシミリ装置１００に送信する場合のＰＣ２００における表示例である。
【図１１】返送納期が迫ってる場合のＰＣ２００における表示例である。
【図１２】ＩＣタグ付き用紙の一例を示す図である。
【図１３】読み取り手段３とＩＣタグ付き用紙の一例を示す図である。
【図１４】ファクシミリ装置１００による通信ログの一例を示す図である。
【符号の説明】
【００５３】
１００    ファクシミリ装置
１    受信手段
２    書き込み手段
３    読み取り手段
４    入力手段
５    比較手段
６    設定手段
７    表示手段
８    送信手段
９    ワンタッチキー／短縮のＦＡＸ番号記憶部
２００    ＰＣ（情報通信端末の一例）
【図１】
2008113325.tif 000003
【図２】
2008113325.tif 000004
【図３】
2008113325.tif 000005
【図４】
2008113325.tif 000006
【図５】
2008113325.tif 000007
【図６】
2008113325.tif 000008
【図７】
2008113325.tif 000009
【図８】
2008113325.tif 000010
【図９】
2008113325.tif 000011
【図１０】
2008113325.tif 000012
【図１１】
2008113325.tif 000013
【図１２】
2008113325.tif 000014
【図１３】
2008113325.tif 000015
【図１４】
2008113325.tif 000016